(57)【要約】【課題】ドレン管の端部が下方に開口しており、且つ、ドレン管の端部が地面などに接近している場合であっても、ドレン管の端部を折り曲げることなく容易にドレン管内に詰まった異物を除去することができる管の詰まり除去具を提供する。【解決手段】管の詰まり除去具は、筒状に形成された外筒部と、前記外筒部の一端に形成される先細り形状のテーパー部と、前記テーパー部の先端に設けられ、前記外筒部よりも小径の筒状に形成された先端部と、前記外筒部の内部を摺動するガスケットと、一端が前記ガスケットに固定されて、前記外筒部の他端に延びる細長い操作部と、を備えた管の詰まり除去具であって、前記先端部は、前記テーパー部と連結する一端側が、前記外筒部の軸方向に延びるとともに、中間部で折曲し、他端が前記外筒部の軸方向とは異なる方向に開口する。【選択図】図２
2018040192.tif 000002
【特許請求の範囲】
【請求項１】
筒状に形成された外筒部と、
前記外筒部の一端に形成される先細り形状のテーパー部と、
前記テーパー部の先端に設けられ、前記外筒部よりも小径の筒状に形成された先端部と、
前記外筒部の内部を摺動するガスケットと、
一端が前記ガスケットに固定されて、前記外筒部の他端に延びる細長い操作部と、を備えた管の詰まり除去具であって、
前記先端部は、前記テーパー部と連結する一端側が、前記外筒部の軸方向に延びるとともに、中間部で折曲し、他端が前記外筒部の軸方向とは異なる方向に開口することを特徴とする管の詰まり除去具。
【請求項２】
前記先端部は中間部で少なくとも９０度以上折曲することを特徴とする請求項１に記載の管の詰まり除去具
【請求項３】
前記先端部は前記テーパー部に着脱自在に接合することを特徴とする請求項１又は請求項２に記載の管の詰まり除去具。
【請求項４】
前記先端部は可撓性を有することを特徴とする請求項１に記載の管の詰まり除去具。
【請求項５】
前記先端部は前記中間部で揺動可能に折曲することを特徴とする請求項１に記載の管の詰まり除去具。
【発明の詳細な説明】
【技術分野】
【０００１】
本発明は、例えば空気調和機や冷凍庫のドレン水を排水するドレン管などの管の詰まりを除去する管の詰まり除去具に関する。
【背景技術】
【０００２】
空気調和機等は、大気中から取込んだ粉塵、コンプレッサ内の潤滑油や金属粉などが混ざったドレン水を屋外に排出するためのドレン管２を有している。ドレン管２は上述の通り粉塵、潤滑油、金属粉などが混入することがあるので、経年使用により管内にこれらの粉塵、潤滑油、金属粉などが固まった異物が詰まることがある。
【０００３】
このようなドレン管２などの管の詰まりを除去する器具として、たとえば非特許文献１にドレンホース用のサクションポンプ１００が記載されている。従来のサクションポンプ１００を図９に示す。このサクションポンプ１００は、先端１０４が先細り形状となっている筒状に形成された外筒部１０１と、外筒部１０１の内部を摺動するガスケット１０２と、一端がガスケット１０２に固定されて、外筒部１０１の他端側に延びる細長い操作部１０３と、を備えている。
【０００４】
ドレン管２の詰まりを除去する工程は、まず、ドレン管２の屋外側の端部に外筒部１０１の先細った先端１０４を接続し、操作部１０３を押し引きしてガスケット１０２を外筒部１０１の内部で当該ガスケット１０２の軸方向に往復運動させる。ガスケット１０２が外筒部１０１の先端１０４に近づく方向に移動するときには外筒部１０１からドレン管２内に空気が排出され、ガスケット１０２が外筒部１０１の先端１０４から遠ざかる方向に移動するときには外筒部１０１の先端からドレン管２内の空気が吸引されるので、ドレン管２は屋外側の端部から加圧減圧を繰り返されることになり、ドレン管２内に詰まった異物がドレン管２の内周から剥がされてドレン水によってドレン管２の屋外側の端部に押し流される。
【先行技術文献】
【特許文献】
【０００５】
【非特許文献１】株式会社イチネンＴＡＳＣＯ、「2016-2017 TASCO GENERAL CATALOG」、2006年3月発刊、p.154、(以下のインターネットＵＲＬ参照 http://www.tasco-digitalcatalog.com/2016/)
【発明の概要】
【発明が解決しようとする課題】
【０００６】
ところで、ドレン管２はドレン水を流下させる必要があるので、鉛直方向に延びている場合が多く、ドレン管２の屋外側の端部は下方に開口している場合が多い。また、異物を含んだドレン水を排出するものであるので、低い位置に開口が設けられていることが好ましく、ドレン管２の屋外側の端部は地面、土間、バルコニーの床などに近い位置に配置されていることが多い。
【０００７】
一方、図９に示すように、従来のサクションポンプ１００は、先端が外筒部１０１の軸方向に開口しており、しかも、上述のように地面、土間、バルコニーの床などの近くにドレン管２の屋外側の端部が開口しているので、サクションポンプ１００の先端をドレン管２の屋外側の端部に接続する際に、これらの地面、土間、バルコニー等が邪魔になってサクションポンプ１００を鉛直方向に配置することは困難である。したがって、ドレン管２の屋外側の端部をサクションポンプ１００の先端に接続可能なように折り曲げて接続する必要がある。
【０００８】
しかし、ドレン管２はたとえば建物の外壁などに固定されており、その端部を折り曲げることが困難な場合もある。また、ドレン管２の端部を折り曲げた状態に保持しつつサクションポンプ１００を操作しなければならないので、作業がやり難くなる問題もある。
【０００９】
そこで本発明は、ドレン管の端部が下方に開口しており、且つ、ドレン管の端部が地面などに接近している場合であっても、ドレン管の端部を折り曲げることなく容易にドレン管内に詰まった異物を除去することができる管の詰まり除去具を提供することを目的とする。
【課題を解決するための手段】
【００１０】
本発明の第１の管の詰まり除去具は、筒状に形成された外筒部と、前記外筒部の一端に形成される先細り形状のテーパー部と、前記テーパー部の先端に設けられ、前記外筒部よりも小径の筒状に形成された先端部と、前記外筒部の内部を摺動するガスケットと、一端が前記ガスケットに固定されて、前記外筒部の他端に延びる細長い操作部と、を備えた管の詰まり除去具であって、前記先端部は、前記テーパー部と連結する一端側が、前記外筒部の軸方向に延びるとともに、中間部で折曲し、他端が前記外筒部の軸方向とは異なる方向に開口することを特徴としている。
【００１１】
本発明の第２の管の詰まり除去具は、第１の管の詰まり除去具の特徴に加えて、前記先端部は中間部で少なくとも９０度以上折曲することを特徴としている。
【００１２】
本発明の第３の管の詰まり除去具は、第１又は第２の管の詰まり除去具の特徴に加えて、前記先端部は前記テーパー部に着脱自在に接合することを特徴としている。
【００１３】
本発明の第４の管の詰まり除去具は、第１の管の詰まり除去具の特徴に加えて、前記先端部は可撓性を有することを特徴としている。
【００１４】
本発明の第５の管の詰まり除去具は、第１の管の詰まり除去具の特徴に加えて、前記先端部は前記中間部で揺動可能に折曲することを特徴としている。
【発明の効果】
【００１５】
第１の管の詰まり除去具によると、先端部はテーパー部と連結する一端側が、外筒部の軸方向に延びるとともに、中間部で折曲し、他端が外筒部の軸方向とは異なる方向に開口するので、ドレン管の屋外側の端部が地面、土間、バルコニーの床などに近い位置で、下方に開口するように配置している場合であっても、外筒部をほぼ水平に保持した状態で先端部を上方に向けて開口させることができ、ドレン管の端部を折り曲げることなく容易にドレン管内に詰まった異物を除去することができる。
【００１６】
第２の管の詰まり除去具によると、先端部は中間部で少なくとも９０度以上折曲するので、少なくとも外筒部を先端が下がるように傾斜させて保持させることで、先端部を上方に向けて開口させることができ、ドレン管の端部を折り曲げることなく容易にドレン管内に詰まった異物を除去することができる。
【００１７】
第３の管の詰まり除去具によると、先端部はテーパー部に着脱自在に接合しているので、先端部をアタッチメントとすることができ、例えば異物が詰まっている管の端部形状に応じて先端形状を変更することができる。
【００１８】
第４の管の詰まり除去具によると、先端部が可撓性を有するので外筒部の姿勢に関らず先端部の開口方向を制御することができ、ドレン管の屋外側の端部により簡単に接続することができる。
【００１９】
第５の管の詰まり除去具によると、先端部は前記中間部で揺動可能に折曲するので、外筒部の姿勢に関らず先端部の開口方向を制御することができ、ドレン管の屋外側の端部により簡単に接続することができる。
【図面の簡単な説明】
【００２０】
【図１】管の詰まり除去具の外観構成を示す図。
【図２】管の詰まり除去具の内部構成を示す断面図。
【図３】操作部を外筒部から引き出した状態の管の詰まり除去具の内部構成を示す断面図。
【図４】詰まり除去作業中の管の詰まり除去具の態様を示す図。
【図５】詰まり除去作業中の管の詰まり除去具の操作部を外筒部から引き出した状態を示す図。
【図６】先端部が中間部で揺動可能に折曲した変形例の管の詰まり除去具の外観構成を示す図。
【図７】変形例の管の詰まり除去具の先端部の構成を示す断面図。
【図８】別の変形例の管の詰まり除去具の先端部の構成を示す断面図。
【図９】従来のサクションポンプを示す図。
【発明を実施するための形態】
【００２１】
以下、本発明に係る管の詰まり除去具１の最良の実施形態について各図を参照しつつ説明する。管の詰まり除去具１は、例えば、空気調和機のドレン水を屋外に排出するためのドレン管２の内部に詰まった異物を除去するものである。ドレン管２は樹脂製の可撓管で断熱チューブ３が外挿されている。なお、本発明の管の詰まり除去具１はドレン管２に詰まった異物を除去するものに限定されるものではなく、例えば排水管に詰まった異物を除去する際にも用いることができる。
【００２２】
管の詰まり除去具１は、図１及び図２に示すように、筒状に形成された外筒部４と、外筒部４の一端に形成される先細り形状のテーパー部５と、テーパー部５の先端に設けられる先端部６と、外筒部４の他端を覆うように形成され中央に挿通孔７１が形成された後端部７と、外筒部４の内部を摺動するガスケット８と、一端がガスケット８に固定され、外筒部４の他端方向に延びる細長い操作部９と、を備えている。
【００２３】
外筒部４は、樹脂製の円筒である。テーパー部５は外筒部４の一端に外挿して気密的に接着される筒状の固定部５１と、固定部５１から先端方向に向かって縮径する円錐台部５２と、円錐台部５２の先端に設けられる先端に設けられる雄ネジ部５３とを有しており、内部が固定部５１及び雄ネジ部５３の端部が開口した空洞となっている。
【００２４】
先端部６は、樹脂製で、テーパー部５の雄ネジ部５３に螺着する雌ネジ部６１と、雌ネジ部６１から外筒部４の軸方向に延びる基端部６２と、基端部６２から折り曲がって延びる接続部６３と、が一体形成されている。先端部６の折り曲がる角度は、少なくとも９０度以上が好ましい。本実施形態における先端部６の折り曲がる角度は１００度である。接続部６３は、中間に段６４が設けられて先端側の径が短くなっている。接続部６３の最も先端側は直径１４ｍｍで、段６４の基端部６２側は１６ｍｍとなっており、内径が１４ｍｍ及び１６ｍｍのドレン管２に接続可能となっている。
【００２５】
なお、先端部６の雌ネジ部６１はテーパー部５の雄ネジ部５３と螺着しているので、先端部６をテーパー部５に対して緩める方向に回すことで簡単に取り外すことができ、また、先端部６をテーパー部５に対して締め付ける方向に回すことで簡単に螺着させることができる。先端部は例えば折り曲がりの無いアタッチメントやドレン管２以外の管の形状に合わせたアタッチメントを用意することで、ドレン管２以外の管に詰まった異物も除去することができる。
【００２６】
後端部７は、図２及び図３に示すように、外筒部４の他端に外挿して気密的に接着される筒状の接着部７２と、外筒部４の他端を覆う覆蓋部７３と、覆蓋部７３の中央に設けられた挿通孔７１と、外筒部４の他端から外筒内部に外気を吸排気する吸排口７４と、を有する。ガスケット８は外筒部４の内周に気密的に当接する円柱形状でエラストマー製で、外筒部４の軸方向に摺動可能に形成されている。ガスケット８には後端部７側に向かって外筒部４の軸方向に細長い操作部９が固定されている。操作部９は、一端がガスケット８に固定されて覆蓋部７３の挿通孔７１に挿通する細い円柱形状の押し棒９１と、押し棒９１の他端に形成され作業者が把持するための把持孔９２が形成された把持部９３とを有している。
【００２７】
図２に示すように、操作部９が外筒部４に押し込まれている状態で、図３に示すように、把持部９３を把持して操作部９を外筒部４から引き出す方向に引っ張ると、外筒部４の内部では、ガスケット８が外筒部４の一端側から他端側に向かって摺動する。そしてガスケット８の摺動に伴って当該ガスケット８を境界として外筒部４の一端側の空間が広がり、外筒部４の他端側の空間が狭まる。したがって、外筒部４の一端側の空間の気圧が下降し当該空間に連通する先端部６の開口から外部の空気を吸気する。一方、外筒部４の他端側の空間の気圧が上昇し当該空間に連通する後端部７の吸排口７４から外部に空気を排出する。
【００２８】
そして、図３に示すように、操作部９が外筒部４から引き出されている状態で、図２に示すように、把持部９３を把持して操作部９を外筒に押し込む方向に押し付けると、外筒部４の内部では、ガスケット８が外筒部４の他端側から一端側に向かって摺動する。そしてガスケット８の摺動に伴って当該ガスケット８を境界として外筒部４の一端側の空間が狭まり、外筒部４の他端側の空間が広がる。したがって、外筒部４の一端側の空間の気圧が上昇し当該空間に連通する先端部６の開口から外部に空気を排出する。一方、外筒部４の他端側の空間の気圧が下降し当該空間に連通する後端部７の吸排口７４から外部の空気を吸入する。
【００２９】
ドレン管２に異物が詰まった場合には、まず図４に示すように、先端部６の接続部６３をドレン管２に挿入してドレン管２と先端部６とを接続する。そして、操作部９の把持部９３を把持して、図４に示すように、操作部９を押し引きし、図４に示すように当該操作部９を外筒部４に押し込んだ状態と、図５に示すように操作部９を外筒部４から引き出した状態とを繰り返す。これによって先端部６の開口から吸気と排気が繰り返されて、ドレン管２内では屋外側の端部から加圧減圧を繰り返されることになり、当該ドレン管２内に詰まった異物がドレン管２の内周面から剥がされてドレン水によってドレン管２の屋外側の端部に押し流される。
【００３０】
このように本実施形態の管の詰まり除去具１は、ドレン管２の屋外側の端部が地面、土間、バルコニーの床などに近い位置で、下向きに開口するように配置している場合であっても、外筒部４をほぼ水平に保持した状態で先端部６を上方に向けて開口させることができ、地面等が邪魔になることなく、ドレン管２の端部を折り曲げることなく容易にドレン管２内に詰まった異物を除去することができる。
【００３１】
上述の実施形態では管の詰まり除去具１の先端部６は、雌ネジ部６１と、雌ネジ部６１から外筒部４の軸方向に延びる基端部６２と、基端部６２から折り曲がって延びる接続部６３と、が一体形成されており、常に中間部で折り曲がる構成であったが、これに限定されるものではない。次に管の詰まり除去具１の実施形態の変形例について説明する。
【００３２】
変形例の先端部６は図６及び図７に示すように、中間部で揺動可能に折曲することができるように構成されている。具体的には、例えば図７に示すように、先端部６の基端部６２と接続部６３との接合部分がリング状に形成されて、一方が他方に揺動可能に外挿するとともに基端部６２と接続部６３とが互いに連通するように空気の流路が設けられている。
【００３３】
このように構成すれば、外筒部４の姿勢に関らず先端部６の開口方向を変更することができ、ドレン管２の屋外側の端部の向きや設置箇所の形状がどのような場合であっても簡単に先端部６をドレン管２の端部に接続することができる。
【００３４】
また、別の変形例では、先端部６は図８に示すように、中間部に可撓性を有する蛇腹管６５が形成されている。すなわち、先端部６の基端部６２と接続部６３との間が可撓性を有しており、この中間部の蛇腹管６５を折り曲げることで、先端部６の開口方向を自在に変更することができる形状である。このように構成すれば、外筒部４の姿勢に関らず先端部６の開口方向を変更することができ、ドレン管２の屋外側の端部の向きや設置箇所の形状がどのような場合であっても簡単に先端部６をドレン管２の端部に接続することができる。
【００３５】
なお、本発明の実施の形態は上述の形態に限ることなく、本発明の思想の範囲を逸脱しない範囲で適宜変更することができることは云うまでもない。
【産業上の利用可能性】
【００３６】
本発明に係る管の詰まり除去具１は、たとえが空気調和機のドレン管２の屋外側端部に接続して、ドレン管２内に詰まった異物を除去する際に好適に用いることができる。
【符号の説明】
【００３７】
１      管の詰まり除去具
２      ドレン管
４      外筒部
５      テーパー部
６      先端部
８      ガスケット
９      操作部
【図１】
2018040192.tif 000003
【図２】
2018040192.tif 000004
【図３】
2018040192.tif 000005
【図４】
2018040192.tif 000006
【図５】
2018040192.tif 000007
【図６】
2018040192.tif 000008
【図７】
2018040192.tif 000009
【図８】
2018040192.tif 000010
【図９】
2018040192.tif 000011